【事件の表示】
　特許第２６９９９０６号「施肥装置付き乗用型田植機」の特許に対する特許異議の申立てについて、次のとおり決定する。
【結　論】
　訂正を認める。
　特許第２６９９９０６号の特許を維持する。
【理　由】
１．手続の経緯
　特許第２６９９９０６号の請求項１に記載された発明についての出願は、昭和６１年１０月９日に出願された特願昭６１−２４１０３３号の一部を特許法第４４条第１項の規定により、平成７年２月７日に特許出願したものであって、平成９年９月２６日にその発明について特許の設定登録がなされ、その後、その請求項１に記載された発明に対してヤンマー農機株式会社及び山本進より特許異議の申立がなされ、そして、取消理由通知がなされ、その指定期間内である平成１１年４月２６日に訂正請求がなされ、さらに訂正拒絶理由通知がなされ、その指定期間内である平成１１年９月６日に上記訂正請求についての手続補正書が提出されたものである。
　
２．訂正の適否についての判断
２−１　特許権者が求めている訂正
　上記手続補正書は、平成１１年４月２６日になされた訂正請求による訂正後の明細書の特許請求の範囲に記載された「・・肥料案内管４３を、回転ケース１７の前方で副伝動ケース１５ｂと苗載台１６と移植具１８の作動軌跡とに囲まれた空間部をとおして配設し、且つ、回転ケース１７の上方部に位置する肥料繰出装置４５・・・の排出口７２に連設される漏斗７４の下端に連通した・・」の構成を特許明細書及図面に記載された構成により限定するものであって、併せて、発明の詳細な説明の欄中の記載が不明瞭なる箇所を釈明するものであるから、訂正の要旨を変更するものではない。
  よって、上記手続き補正書により適法に補正された特許権者が求めている訂正は、以下のとおりである。
２−１−１　特許請求の範囲の記載に関して
訂正事項［１］  特許請求の範囲の請求項１の「・・肥料案内管４３を回転ケース１７の前方で副伝動ケース１５ｂと苗載台１６と移植具１８の作動軌跡とに囲まれた空間部をとおして配設した・・」を、「・・肥料案内管４３を、回転ケース１７の前方で副伝動ケース１５ｂと苗載台１６と移植具１８の作動軌跡とに囲まれた空間部をとおして配設し、且つ、背面視で回転ケース１７の上方部に位置する肥料繰出装置４５・・・の排出口７２に連設される漏斗７４の下端に連通した・・」と訂正する。
　
２−１−２　発明の詳細な説明欄中の記載に関して
訂正事項［２］　明細書段落番号【０００３】の「・・肥料案内管４３を回転ケース１７の前方で副伝動ケース１５ｂと苗載台１６と移植具１８の作動軌跡とに囲まれた空間部をとおして配設した・・」を、「・・肥料案内管４３を、回転ケース１７の前方で副伝動ケース１５ｂと苗載台１６と移植具１８の作動軌跡とに囲まれた空間部をとおして配設し、且つ、背面視で回転ケース１７の上方部に位置する肥料繰出装置４５・・・の排出口７２に連設される漏斗７４の下端に連通した・・」と訂正する。
訂正事項［３］　明細書段落番号【０００４】の「・・空間部をとおして配設された肥料案内管４３により、・・」を、「・・空間部をとおして配設し、且つ、背面視で回転ケース１７の上方部に位置する肥料繰出装置４５・・・の排出口７２に連設される漏斗７４の下端に連通されて、左右に曲げられないでストレートに配設された肥料案内管４３により、・・」と訂正する。
訂正事項［４］　明細書段落番号【０００５】の「・・空間部をとおして配設したから、・・」を、「・・空間部をとおして配設し、且つ、背面視で回転ケース１７の上方部に位置する肥料繰出装置４５・・・の排出口７２に連設される漏斗７４の下端に連通したから、・・」と訂正する。
　
２−２　訂正の目的の適否、新規事項の有無及び拡張・変更の存否
　上記訂正事項［１］に関連して、本件特許明細書及び図面をみると、【特許請求の範囲】には、「肥料案内管４３を回転ケース１７の前方で副伝動ケース１５ｂと苗載台１６と移植具１８の作動軌跡とに囲まれた空間部をとおして配設した」と記載されており、段落番号【００２０】に、「・・作溝器４４の開口部に臨む案内管４３が前記漏斗７４の下端に連通ならしめた構成になっている。」、段落番号【００２４】に、「・・この作溝器４４のＶ字或いはＵ字の空間内に上方から介入する前記案内管４３は、・・」及び「尚、前記肥料繰出装置４５の排出口７２とこれに連設される漏斗７４は回転ケース１７の上方部に位置して前記案内管４３が左右に曲げられないでストレートに配設され回転ケース１７や移植具１８の作動を阻害しない構成になっている。」とそれぞれ記載されるとともに、【図５】及び【図９】には、肥料繰出装置４５・・・が背面視で回転ケース１７の上方部の位置、即ち肥料案内管４３が左右に曲げられないでストレートに配設される形状で、肥料案内管４３が肥料繰出装置４５の排出口７２に連接される漏斗７４の下端に連接するものが図示されている。
  よって、この訂正事項は、特許明細書に記載された事項の範囲内で、特許明細書の請求項１に記載された発明の構成を限定するものといえるから、特許請求の範囲の減縮に該当するものであって、新規事項を追加せず、しかも、実質上特許請求の範囲を拡張し、又は変更するものではない。
　訂正事項［２］，［３］，［４］は、共に、いずれも訂正事項［１］との関係から、特許明細書に記載された事項の範囲で、明瞭でない記載を釈明するものであり、新規事項を追加するものではない。
　
２−３　訂正後の発明の要旨
　本件の発明の要旨は、訂正明細書及び図面の記載からみて、平成１１年１０月２９日付け手続補正書により補正された訂正明細書の特許請求の範囲第１項に記載された次のとおりのものであると認める。
　「後部が複数の副伝動ケース１５ｂ・・・に分岐構成された植付け伝動ケース１５と、該植付伝動ケース１５の上方で左右往復動する苗載台１６と、副伝動ケース１５ｂ・・・の各々の後部側方に装着されて回転する回転ケース１７の両端部側方に各々装着されて回転ケース１７の回転軌跡よりも前方に突出した作動軌跡を描く２つの移植具１８・１８が苗載台１６に載置された苗から一株分の苗を取り出して圃場に植付ける植付装置１９・・・と、植付伝動ケース１５の下方に装着された整地フロート２０・２０等により構成される田植作業機１４を昇降機構２２を介して乗用型走行車体１に装着すると共に、該田植作業機１４に施肥装置３９を装着した施肥装置付き乗用型田植機において、前記副伝動ケース１５ｂ・・・後部上方に機体左右方向に並設した肥料タンク４１と該肥料タンク４１から肥料を繰り出す肥料繰出装置４５・・・を設け、該肥料繰出装置４５から繰出された肥料を整地フロート２０・２０に装着された作溝器４４に案内する肥料案内管４３を、回転ケース１７の前方で副伝動ケース１５ｂと苗載台１６と移植具１８の作動軌跡とに囲まれた空間部をとおして配設し、且つ、背面視で回転ケース１７の上方部に位置する肥料繰出装置４５・・・の排出口７２に連設される漏斗７４の下端に連通したことを特徴とする施肥装置付き乗用型田植機。」
（以下、「本件発明」という）
　
２−４　独立特許要件
２−４−１　訂正理由通知に引用した発明
　当審が通知した訂正理由通知で引用した本件の原出願の出願日前の他の出願であって、本件の原出願の出願後に出願公開された特願昭６１−２３８４０８号（特開昭６３−９１００９号）の願書に最初に添付された明細書又は図面（以下、「引用明細書」という。）には、以下の記載がある。
　「第１図は苗植付装置（Ａ）及び農用粉粒体繰出装置（Ｂ）としての施肥装置の全体側面であるが、図に示すように植付ミッション（１）後端の横軸芯（Ｐ１）周りに植付ケース（２）が回転駆動自在に支持されると共に、前記植付ケース（２）両端に２組の植付爪（３Ａ），（３Ｂ）が備えられており、植付ケース（２）の回転に伴い２組の植付爪（３Ａ），（３Ｂ）が苗のせ台（４）の苗取出し口（４ａ）より交互に苗を切取り圃場に植付けていくように構成されている。前記植付ミッション（１）下部には整地兼姿勢維持用のフロート（５）が設けられ、これら苗植付装置（Ａ）がリンク機構（６）を介して装輪式の走行機体（図外）に昇降自在に連結されているのである。
　これに対し施肥装置（Ｂ）は図に示すように、肥料又は種籾貯類用のタンク（７）及びタンク（７）内の粉粒体を間欠的に繰出す繰出しロール（図示せず）を内装した繰出し部（８）とから構成され、前記植付ミッション（１）上に設置されている。この繰出し部（８）から出てきた粉粒体はホース（９）から作溝器（１０）により圃場に作られた溝内に送り込まれて行くのである。
　前記作溝器（１０）及びホース（９）は第１図及び第３図に示すように、植付爪（３Ａ），（３Ｂ）の通過軌跡から植付ミッション（１）側に配置されており、作溝器（１０）の溝切り板（１８）を介して前記フロート（５）に取付けられると共に、ホース（９）下端付近は苗のせ台（４）の支持レール（１９）下面から延出した略Ｊ字状の支持部材（２０）によって支持されている。」（第２頁右上欄第９行〜第２頁左下欄第１８行）
　「次に前記植付ケース（２）の構造について詳述すると、第１図及び第２図に示すように、植付ミッション（１）から左右に駆動軸（１１）が突出して植付ケース（２）がこの駆動軸（１１）に固定されると共に、前記駆動軸（１１）には植付ミッション（１）に固定された円筒状の固定軸が外嵌され、前記植付ケース（２）内に突入しており、植付ケース（２）内で前記固定軸（１３）に第１ギヤ（１４）が固定されている。
　一方、植付ケース（２）両端には植付爪（３Ａ），（２Ｂ）が揺動自在に軸支されており、その揺動軸（１５）のギヤ部（１５ａ）とが第２ギヤ（１６）を介して前記第１ギヤ（１４）と咬合しており、揺動軸（１１）によって植付ケース（２）は回転駆動されるが、両植付爪（３Ａ），（３Ｂ）は前述のギヤ咬合作用によって第１図に示すような姿勢で苗取出し口（４ａ）を通過し苗を取出し圃場に植付けて行くのである。
　そして、第１図及び第２図に示すように前記施肥装置（Ｂ）の繰出し部（８）には、内部の繰出しロールを往復駆動する揺動アーム式の繰出し駆動部（８ａ）が備えられており、この繰出し駆動部（８ａ）と前記植付爪（３Ａ）の揺動軸（１５）軸端とがリンク（１２）を介して連動連結されているのである。」（第２頁右下欄第1行〜第３頁左上欄第４行）
　これらの記載と図面の記載とを総合すると、引用明細書には、
　「苗のせ台（４）の下方前方側に位置し伝動機構等を内装する前ケース部と、伝動機構に連結され植付伝動ケースを固定した駆動軸を後部側方で左右に突出させて苗のせ台の下方に位置する後ケース部すなわち副伝動ケースから構成される側方視でＬ字状の植付ミッション（１）ケースと、該ミッション（１）ケースの上方に位置する苗のせ台（４）と、前記副伝動ケースの後部側方に装着されて回転する植付ケース（２）の両端部側方に各々装着されて植付ケース（２）の回転軌跡よりも前方に突出した作動軌跡を描く２組の植付爪（３Ａ），（３Ｂ）が苗のせ台（４）に載置された苗から一株分の苗を取り出して圃場に植付ける苗植付装置（Ａ）と、植付ミッション（１）ケースの下方に装着された整地兼姿勢保持用のフロート（５）等により構成される苗植付装置（Ａ）をリンク機構（６）を介して装輪式の走行機体に昇降自在に装着すると共に、苗植付装置（Ａ）に施肥装置を装着した施肥装置付き装輪式走行型田植機において、前記副伝動ケース後部上方に設けた肥料又は種籾貯類用のタンク（７）と該肥料用のタンク（７）から肥料を繰り出す繰出し部（８）を設け、該繰出し部（８）から繰出された肥料を整地兼姿勢保持用のフロート（５）に装着された作溝器（１０）に案内するホース（９）を、植付ケース（２）の前方で該副伝動ケースと苗のせ台（４）と植付爪（３Ａ），（３Ｂ）の作動軌跡とに囲まれた空間部をとおして配設し、且つ、植付ケース（２）の上方部に位置する繰出し部（８）の排出口に連通連設される漏斗の下端に連通したことを特徴とする施肥装置付き装輪式走行型田植機。」
の発明が記載されていると認められるが、以下の未記載事項１〜４の点は記載されていない。
未記載事項１　植付けミッション（１）ケースの後部が複数の副伝動ケースに分岐され、前記副伝動ケース後部上方に機体左右方向に並設した肥料用のタンク（７）を設ける点。
未記載事項２　苗のせ台が左右往復動する点。
未記載事項３　乗用型田植機である点。
未記載事項４　肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、背面視で回転ケースの上方部に位置する肥料繰出装置の排出口に連設される漏斗の下端に連通して構成した点。
　
２−４−２　対比判断
　本件発明と引用明細書の発明とを比較すると、上記未記載事項１〜３に関して、引用明細書に記載の装輪式走行機体が乗用であるか否かは不明であるが、たとえ、同記載が乗用型田植機を排除するものではなく、引用明細書に係る出願が出願された当時、乗用型田植機の技術分野では、乗用型田植機の後部に、回転ケースやその回転ケースを作動させる副伝動ケース等から構成される植付機構を複数並設することは技術常識でありかつ、苗載台が左右往復動することも同じく技術常識であることから、上記未記載事項１〜３が、当業者にとって自明の事項であり、実質的に開示または示唆される事項であったとしても、上記未記載事項４である、肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、背面視で回転ケースの上方部に位置する肥料繰出装置の排出口に連設される漏斗の下端に連通した構成、即ち、肥料案内管４３が左右に曲げられないでストレートに配設される構成に関して、引用明細書には、肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、回転ケースの上方部に位置する肥料繰出装置の排出口に連設される漏斗の下端に連通した構成が示されのみであって、肥料案内管であるホース（９）が背面視で左右に曲げられないでストレートであることを何等記載するものではないから、引用明細書の記載は、上記未記載事項４の構成を記載または示唆していない。
　しかも、上記構成を本件の出願時に慣用される技術であるとする客観的証拠はなく、これら構成を引用明細書に実質的に記載又は示唆されているとする客観的他の証拠は何等ない。
　そして、本件発明は、上記未記載事項４の構成を有することにより、「肥料案内管が、作溝器に介入し左右に曲げられないでストレートすなわち背面視で垂直であるので、田植機が上下に振動する等で漏斗の下端と作溝器の距離が多少変動しても、肥料は漏斗の下端から作溝器まで背面視で垂直に運ばれ、肥料詰まりが減少し、併せて、肥料案内管の左右にも近接して部材を配置することができ、非常にコンパクトになる。」という格別な効果を奏するものである。
　よって、本件発明を、肥料案内管が、作溝器に介入され、背面視で左右にまげられないでストレートである上記構成を記載しない引用明細書に記載された発明と同一であるとすることはできない。
　また、本件発明は、その特許出願の際独立して、特許を受けることができないとする他の理由を発見しない。
　
２−５　むすび
　以上のとおりであるから、上記訂正は、特許法第１２０条の４第２項及び同条第３項で準用する特許法第１２６条第２項から第４項の規定に適合するので、当該訂正を認める。
　
３．特許異議申立に対する判断
３−１　申立て理由の概要
　特許異議申立人ヤンマー農機株式会社は、
甲第１号証の刊行物として「特開昭６３−９１００９号公報」
を提出するとともに、副伝動ケースを植え付け伝動ケースから複数分岐構成させ、かつ、肥料タンクを機体左右方向に並設した施肥装置付きの乗用型田植機が周知であることを立証するために
甲第２号証の刊行物として「実願昭５７−１６２５４０号（実開昭５９−６８０２２号公報）のマイクロフィルム」、
甲第３号証の刊行物として「実願昭５９−７７０号（実開昭６０−１１４６１２号公報）のマイクロフィルム」、
甲第４号証の刊行物として「実願昭５９−１３４７８９号（実開昭６１−５０５１３号公報）のマイクロフィルム」
を提出して、甲第２〜４号証で証明する技術常識を参酌すれば、本件発明は、本件の原出願の出願日前の他の出願であって、本件の原出願の出願後に出願公開された甲第１号証の刊行物に係る出願（特願昭６１−２３８４０８号）の願書に最初に添付された明細書又は図面に記載された発明と同一であるから、特許法第２９条の２の規定により特許を受けることができないものであり、本件発明についての特許は、拒絶の査定をしなければならないものに対してされたものであるから、取り消されるべき旨主張している。
　また、特許異議申立人山本進は、
甲第１号証の刊行物として「特開昭６３−９１００９号公報」、
甲第２号証の刊行物として「実願昭６１−１５４１０３号（実開昭６３−５８５２８号）のマイクロフィルム」、
を提出するとともに、植付伝動ケースの後部が複数の副伝動ケースに分岐構成されることが、周知の技術であり、業界で慣用される技術常識であることを立証するために、
甲第３号証の刊行物として「実願昭５７−１３０３２３号（実開昭５９−３４５０７号公報）のマイクロフィルム」、
甲第号３証の２の刊行物として「実願昭５９−１０２７８８号（実開昭６１−１７９２０号公報）のマイクロフィルム」、
甲第３号証の３の刊行物として「実願昭５９−５２３３９号（実開昭６１−２５７２８号公報）のマイクロフィルム」、
甲第３号証の４の刊行物として「実願昭５７−１３６９８９号（実開昭５９−４２１２２号公報）のマイクロフィルム」、
甲第３号証の６の刊行物として「実願昭５９−１３４７９０号（実開昭６１−５０５３４号公報）のマイクロフィルム」、
を提出し、更に、乗用田植機において、伝動ケースを複数設けることが周知の技術であり、業界で慣用される技術常識であることを立証するために、前記甲第３号証の６を引用するとともに、
甲第４号証の刊行物として「実願昭５９−１９５６７９号（実開昭６１−１１０２１５号公報）のマイクロフィルム」、
甲第４号証の２の刊行物として「実願昭５９−１９９２０９号（実開昭６１−１１０２１９号公報）のマイクロフィルム」、
甲第４号証の３の刊行物として「特開昭６１−１８７７１４号公報」、
甲第４号証の４の刊行物として「特開昭６１−２１２２１４号公報」
を提出し、加えて、甲第１，２号証にいう「ホース」が管であることを立証するために
参考資料１として、講談社発行の「日本語大辞典」の表紙、第４１３，１３３６頁及び奥付、
参考資料２として「マグローヒル科学技術用語大辞典」の表紙、第１８０６頁及び奥付
を提出して、技術常識を参酌すれば、本件発明は、本件の原出願の出願日前の他の出願であって、本件の原出願の出願後に出願公開された甲第１号証に係る出願（特願昭６１−２３８４０８号）の願書に最初に添付された明細書又は図面に記載された発明と同一であるあるとともに、本件の原出願の出願日前の他の出願であって、本件の原出願の出願後に出願公開された甲第２号証に係る出願（実願昭６１−１５４１０３号）の願書に最初に添付された明細書又は図面に記載された考案と同一であるから、特許法第２９条の２の規定により特許を受けることができないものであり、本件発明についての特許は、拒絶の査定をしなければならないものに対してなされたものであるから、取り消されるべき旨主張している。
　
３−２　本件発明の要旨
　本件発明の要旨は、２−３に述べたように、訂正明細書の請求項１に記載された次のとおりのものと認める。
　「後部が複数の副伝動ケース１５ｂ・・・に分岐構成された植付け伝動ケース１５と、該植付伝動ケース１５の上方で左右往復動する苗載台１６と、副伝動ケース１５ｂ・・・の各々の後部側方に装着されて回転する回転ケース１７の両端部側方に各々装着されて回転ケース１７の回転軌跡よりも前方に突出した作動軌跡を描く２つの移植具１８・１８が苗載台１６に載置された苗から一株分の苗を取り出して圃場に植付ける植付装置１９・・・と、植付伝動ケース１５の下方に装着された整地フロート２０・２０等により構成される田植作業機１４を昇降機構２２を介して乗用型走行車体１に装着すると共に、該田植作業機１４に施肥装置３９を装着した施肥装置付き乗用型田植機において、前記副伝動ケース１５ｂ・・・後部上方に機体左右方向に並設した肥料タンク４１と該肥料タンク４１から肥料を繰り出す肥料繰出装置４５・・・を設け、該肥料繰出装置４５から繰出された肥料を整地フロート２０・２０に装着された作溝器４４に案内する肥料案内管４３を、回転ケース１７の前方で副伝動ケース１５ｂと苗載台１６と移植具１８の作動軌跡とに囲まれた空間部をとおして配設し、且つ、背面視で回転ケース１７の上方部に位置する肥料繰出装置４５・・・の排出口７２に連設される漏斗７４の下端に連通したことを特徴とする施肥装置付き乗用型田植機。」
　
３−３　甲各号証に記載された発明
３−３−１  特願昭６１−２３８４０８号の願書に最初に添付された明細書または図面に記載された発明
　本件の原出願の出願日前の他の出願であって、本件の原出願の出願後に出願公開された出願である特願昭６１−２３８４０８号（（特開昭６３−９１００９号（特許異議申立人ヤンマー農機株式会社が提出した甲第１号証刊行物、特許異議申立人山本進が提出した甲第１号証刊行物））の願書に最初に添付された明細書又は図面には、２−４−１に述べたように、
　「苗のせ台（４）の下方前方側に位置し伝動機構等を内装する前ケース部と、伝動機構に連結され植付伝動ケースを固定した駆動軸を後部側方で左右に突出させて苗のせ台の下方に位置する後ケース部すなわち副伝動ケースから構成される側方視でＬ字状の植付ミッション（１）ケースと、該ミッション（１）ケースの上方に位置する苗のせ台（４）と、前記副伝動ケースの後部側方に装着されて回転する植付ケース（２）の両端部側方に各々装着されて植付ケース（２）の回転軌跡よりも前方に突出した作動軌跡を描く２組の植付爪（３Ａ），（３Ｂ）が苗のせ台（４）に載置された苗から一株分の苗を取り出して圃場に植付ける苗植付装置（Ａ）と、植付ミッション（１）ケースの下方に装着された整地兼姿勢保持用のフロート（５）等により構成される苗植付装置（Ａ）をリンク機構（６）を介して装輪式の走行機体に昇降自在に装着すると共に、苗植付装置（Ａ）に施肥装置を装着した施肥装置付き装輪式走行型田植機において、前記副伝動ケース後部上方に設けた肥料又は種籾貯類用のタンク（７）と該肥料用のタンク（７）から肥料を繰り出す繰出し部（８）を設け、該繰出し部（８）から繰出された肥料を整地兼姿勢保持用のフロート（５）に装着された作溝器（１０）に案内するホース（９）を、植付ケース（２）の前方で該副伝動ケースと苗のせ台（４）と植付爪（３Ａ），（３Ｂ）の作動軌跡とに囲まれた空間部をとおして配設し、且つ、植付ケース（２）の上方部に位置する繰出し部（８）の排出口に連通連設される漏斗の下端に連通したことを特徴とする施肥装置付き装輪式走行型田植機。」
の発明が記載されていると認められる。
３−３−２  実願昭６１−１５４１０３号の願書に最初に添付された明細書または図面に記載された考案
　特許異議申立人山本進が提出した甲第２号証刊行物に係る出願（実願昭６１−１５４１０３号）であり、本件の原出願の出願日前の他の出願であって、本件の原出願の出願後に出願公開された出願の願書に最初に添付された明細書又は図面には、以下の記載がある。
　「第１図は苗植付装置（Ａ）及び農用粉粒体繰出装置（Ｂ）としての施肥装置の全体側面であるが、図に示すように植付ミッション（１）後端の横軸芯（Ｐ１）周りに植付ケース（２）が回転駆動自在に支持されると共に、前記植付ケース（２）両端に２組の植付爪（３Ａ），（３Ｂ）が備えられており、植付ケース（２）の回転に伴い２組の植付爪（３Ａ），（３Ｂ）が苗のせ台（４）の苗取出し口（４ａ）より交互に苗を切取り圃場に植付けていくように構成されている。前記植付ミッション（１）下部には整地兼姿勢維持用のフロート（５）が設けられ、これら苗植付装置（Ａ）がリンク機構（６）を介して装輪式の走行機体（図外）に昇降自在に連結されているのである。」（第４頁第１０行〜第５頁第３行）
　「これに対し施肥装置（Ｂ）は第１図に示すように、肥料又は種籾貯類用のタンク（７）及びタンク（７）内の粉粒体を間欠的に繰出す繰出しロール（図示せず）を内装した繰出し部（８）とから構成されており、前記植付ミッション（１）上に設置されている。この繰出し部（８）から出てきた粉粒体はホース（９）から作溝器（１０）により圃場に作られた溝内に送り込まれて行くのであるが、第２図に示すように前記作溝器（１０）はフロート（５）と植付爪（３Ａ），（３Ｂ）の間に配置されているのである。
　次に前記植付ケース（２）の構造について詳述すると、第１図及び第３図に示すように、植付ミッション（１）から左右に駆動軸（１１）が突出して植付ケース（２）がこの駆動軸（１１）に固定されると共に、前記駆動軸（１１）には植付ミッション（１）に固定された円筒状の固定軸が外嵌され、前記植付ケース（２）内に突入しており、植付ケース（２）内で前記固定軸（１３）に第１ギヤ（１４）が固定されている。
　一方、植付ケース（２）両端には植付爪（３Ａ），（２Ｂ）が揺動自在に軸支されており、その揺動軸（１５）のギヤ部（１５ａ）とが第２ギヤ（１６）を介して前記第１ギヤ（１４）と咬合しており、揺動軸（１１）によって植付ケース（２）は回転駆動されるが、両植付爪（３Ａ），（３Ｂ）は前述のギヤ咬合作用によって第１図に示すような姿勢で苗取出し口（４ａ）を通過し苗を取出し圃場に植付けて行くのである。」（第５頁第１１〜第６頁１９行）
　「・・前記施肥装置（Ｂ）の繰出し部（８）には第１図に示すように、内部の繰出しロールを往復駆動する揺動アーム式の繰出し駆動部（８ａ）が備えられると共に第１図及び第３図に示すように一方の植付爪（３Ａ）のカム軸（１２）他端の突出部（１２ａ）と前記繰出し駆動部（８ａ）とに亘って連係リンク（１８）が架設連係されている。この構造により、植付ケース（２）の回転運動が前記連係リンク（１８）によって往復運動に変換されて、繰出し駆動部（８ａ）に伝達され粉粒体が間欠的に繰出されて行くのである。」（第７頁第1１行〜第８頁第１行）
　これらの記載と図面の記載とを総合すると、実願昭６１−１５４１０３号の願書に最初に添付された明細書または図面には、
「苗のせ台（４）の下方前方側に位置し伝動機構等を内装する前ケース部と、伝動機構に連結され植付伝動ケースを固定した駆動軸を後部側方で左右に突出させて苗のせ台の下方に位置する後ケース部すなわち副伝動ケースから構成される側方視でＬ字状の植付ミッション（１）ケースと、該ミッション（１）ケースの上方に位置する苗のせ台（４）と、前記副伝動ケースの後部側方に装着されて回転する植付ケース（２）の両端部側方に各々装着されて植付ケース（２）の回転軌跡よりも前方に突出した作動軌跡を描く２組の植付爪（３Ａ），（３Ｂ）が苗のせ台（４）に載置された苗から一株分の苗を取り出して圃場に植付ける苗植付装置（Ａ）と、植付ミッション（１）ケースの下方に装着された整地兼姿勢保持用のフロート（５）等により構成される苗植付装置（Ａ）をリンク機構（６）を介して装輪式の走行機体に昇降自在に装着すると共に、苗植付装置（Ａ）に施肥装置を装着した施肥装置付き装輪式走行型田植機において、前記副伝動ケース後部上方に設けた肥料又は種籾貯類用のタンク（７）と該肥料用のタンク（７）から肥料を繰り出す繰出し部（８）を設け、該繰出し部（８）から繰出された肥料を整地兼姿勢保持用のフロート（５）に装着された作溝器（１０）に案内するホース（９）を、植付ケース（２）の前方で該副伝動ケースと苗のせ台（４）と植付爪（３Ａ），（３Ｂ）の作動軌跡とに囲まれた空間部をとおして配設し、且つ、植付ケース（２）の上方部に位置する繰出し部（８）の排出口に連通連設される漏斗の下端に連通したことを特徴とする施肥装置付き装輪式走行型田植機。」
の考案が記載されているものと認める。
　
３−４　対比・判断
３−４−１  特願昭６１−２３８４０８号の願書に最初に添付された明細書または図面に記載された発明との対比・判断
　本件発明と特許異議申立人ヤンマー農機株式会社が提出した甲第１号証刊行物であり特許異議申立人山本進が提出した甲第１号証刊行物である特願昭６１−２３８４０８号の願書に最初に添付された明細書または図面に記載された発明とを比較する。
　特許異議申立人ヤンマー農機株式会社が甲第２〜４号証の刊行物に基づいて主張するように、副伝動ケースを植え付け伝動ケースから複数分岐構成させ、かつ、肥料タンクを機体左右方向に並設した施肥装置付きの乗用型田植機が周知であり、かつ、特許異議申立人山本進が甲第３号証〜甲第３号証の６の刊行物並びに甲第４号証〜甲第４号証の４の刊行物に基づいて主張するように植付伝動ケースの後部が複数の副伝動ケースに分岐構成されることが、周知の技術に属し業界で慣用される技術常識であり、植付伝動ケースの後部が複数の副伝動ケースに分岐構成されることも、周知の技術であり、業界で慣用される技術常識であったとしても、２−４−２に記載したように、本件発明の構成要件の一部である、肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、背面視で回転ケースの上方部に位置する肥料繰出装置の排出口に連設される漏斗の下端に連通した構成、即ち、肥料案内管４３が左右に曲げられないでストレートに配設される構成は記載されていない。同構成と関連して、同明細書等には、肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、回転ケースの上方部に位置する肥料繰出装置の排出口に連設される漏斗の下端に連通した構成が示されるが、肥料案内管であるホース（９）が背面視で左右に曲げられないでストレートであることを記載するものではない。
　しかも、上記構成を本件の出願時に慣用される技術であるとする客観的証拠はなく、これら構成を引用明細書に実質的に記載又は示唆されているとする客観的他の証拠は何等ない。
　そして、本件発明は、同構成を有することにより、「肥料案内管が、作溝器に介入し左右に曲げられないでストレートすなわち背面視で垂直であるので、田植機が上下に振動する等で漏斗の下端と作溝器の距離が多少変動しても、肥料は漏斗の下端から作溝器まで背面視で垂直に運ばれ、肥料詰まりが減少し、併せて、肥料案内管の左右にも近接して部材を配置することができ、非常にコンパクトになる。」という格別な効果を奏するものである。
　よって、本件発明を、肥料案内管が、作溝器に介入され、背面視で左右にまげられないでストレートである上記構成を記載しない特願昭６１−２３８４０８号の願書に最初に添付された明細書または図面に記載された発明と同一であるとすることはできない。
　
３−４−２  実願昭６１−１５４１０３号の願書に最初に添付された明細書または図面に記載された考案との対比・判断
　本件発明と特許異議申立人山本進が提出した甲第２号証刊行物に係る出願である実願昭６１−１５４１０３号の願書に最初に添付された明細書または図面に記載された考案とを比較すると、両者は、
　「後部が副伝動ケースの植付け伝動ケースと、該植付伝動ケースの上方に設けられた苗載台と、副伝動ケースの各々の後部側方に装着されて回転する回転ケースの両端部側方に各々装着されて回転ケースの回転軌跡よりも前方に突出した作動軌跡を描く２つの移植具が苗載台に載置された苗から一株分の苗を取り出して圃場に植付ける植付装置と、植付伝動ケースの下方に装着された整地フロート等により構成される田植作業機を昇降機構を介して乗用型走行車体に装着すると共に、該田植作業機に施肥装置を装着した施肥装置付き乗用型田植機において、前記副伝動ケース後部上方に設けた該肥料タンクから肥料を繰り出す肥料繰出装置を設け、該肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、回転ケースの上方部に位置する肥料繰出装置の排出口に連設される漏斗の下端に連通したことを特徴とする施肥装置付き走行型田植機。」
である点で一致するが、たとえ、特許異議申立人山本進が甲第３号証〜甲第３号証の６の刊行物及び甲第４号証〜甲第４号証の４の刊行物に基づいて主張するように植付伝動ケースの後部が複数の副伝動ケースに分岐構成されることが、周知の技術に属し業界で慣用される技術常識であり、植付伝動ケースの後部が複数の副伝動ケースに分岐構成されることも、周知の技術であり、業界で慣用される技術常識であったとしても、本件発明が、肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、背面視で回転ケースの上方部に位置する肥料繰出装置の排出口に連設される漏斗の下端に連通した構成、即ち、肥料案内管４３が左右に曲げられないでストレートに配設される構成をその発明の構成の一部とするものであるのに対して、実願昭６１−１５４１０３号の願書に最初に添付された明細書または図面にはその点が記載されていない点で両者は相違している。なお、同明細書等には、肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、回転ケースの上方部に位置する肥料繰出装置の排出口に連設される漏斗の下端に連通した構成が示されるものの、このことは、肥料案内管が背面視で左右に曲げられないでストレートであることを何等記載するものではない。
　しかも、上記構成を本件の出願時に慣用される技術であるとする客観的証拠はなく、これら構成を引用明細書に実質的に記載又は示唆されているとする客観的他の証拠は何等ない。
　そして、本件発明は、同構成を有することにより、「肥料案内管が、作溝器に介入し左右に曲げられないでストレートすなわち背面視で垂直であるので、田植機が上下に振動する等で漏斗の下端と作溝器の距離が多少変動しても、肥料は漏斗の下端から作溝器まで背面視で垂直に運ばれ、肥料詰まりが減少し、併せて、肥料案内管の左右にも近接して部材を配置することができ、非常にコンパクトになる。」という格別な効果を奏するものである。
　同明細書等のの残余の記載を見ても、肥料繰出装置から繰出された肥料を整地フロートに装着された作溝器に案内する肥料案内管を、回転ケースの前方で副伝動ケースと苗載台と移植具の作動軌跡とに囲まれた空間部をとおして配設し、且つ、背面視で回転ケースの上方部に位置する肥料繰出装置の排出口に連設される漏斗の下端に連通した構成は記載も示唆もなされていない。
　よって、本件発明を、肥料案内管が、作溝器に介入され、背面視で左右にまげられないでストレートである上記構成を記載しない実願昭６１−１５４１０３号の願書に最初に添付された明細書または図面に記載された考案と同一であるとすることはできない。
　
３−５　むすび
　以上説示の通り、各特許異議申立人が申立てた特許異議申立の理由及び証拠によっては、本件発明についての特許を取り消すことはできない。
　また、他に本件発明についての特許を取り消すべき理由を発見しない。
　よって、結論のとおり決定する。
【異議決定日】
平成１２年２月２４日（２０００．２．２４）
【訂正の要旨】
１　特許請求の範囲の記載に関して
訂正事項［１］　特許請求の範囲の請求項１の「・・肥料案内管４３を回転ケース１７の前方で副伝動ケース１５ｂと苗載台１６と移植具１８の作動軌跡とに囲まれた空間部をとおして配設した・・」を、「・・肥料案内管４３を、回転ケース１７の前方で副伝動ケース１５ｂと苗載台１６と移植具１８の作動軌跡とに囲まれた空間部をとおして配設し、且つ、背面視で回転ケース１７の上方部に位置する肥料繰出装置４５・・・の排出口７２に連設される漏斗７４の下端に連通した・・」と訂正する。
２　発明の詳細な説明欄中の記載に関して
訂正事項［２］　明細書段落番号【０００３】の「・・肥料案内管４３を回転ケース１７の前方で副伝動ケース１５ｂと苗載台１６と移植具１８の作動軌跡とに囲まれた空間部をとおして配設した・・」を、「・・肥料案内管４３を、回転ケース１７の前方で副伝動ケース１５ｂと苗載台１６と移植具１８の作動軌跡とに囲まれた空間部をとおして配設し、且つ、背面視で回転ケース１７の上方部に位置する肥料繰出装置４５・・・の排出口７２に連設される漏斗７４の下端に連通した・・」と訂正する。
訂正事項［３］　明細書段落番号【０００４】の「・・空間部をとおして配設された肥料案内管４３により、・・」を、「・・空間部をとおして配設し、且つ、背面視で回転ケース１７の上方部に位置する肥料繰出装置４５・・・の排出口７２に連設される漏斗７４の下端に連通されて、左右に曲げられないでストレートに配設された肥料案内管４３により、・・」と訂正する。
訂正事項［４］　明細書段落番号【０００５】の「・・空間部をとおして配設したから、・・」を、「・・空間部をとおして配設し、且つ、背面視で回転ケース１７の上方部に位置する肥料繰出装置４５・・・の排出口７２に連設される漏斗７４の下端に連通したから、・・」と訂正する。
（５４）【発明の名称】
施肥装置付き乗用型田植機
（５７）【特許請求の範囲】
１．後部が複数の副伝動ケース１５ｂ…に分岐構成された植付伝動ケース１５と、該植付伝動ケース１５の上方で左右往復動する苗載台１６と、副伝動ケース１５ｂ…の各々の後部側方に装着されて回転する回転ケース１７の両端部側方に各々装着されて回転ケース１７の回転軌跡よりも前方に突出した作動軌跡を描く２つの移植具１８・１８が苗載台１６に載置された苗から一株分の苗を取り出して圃場に植付ける植付装置１９…と、植付伝動ケース１５の下方に装着された整地フロート２０・２１等により構成される田植作業機１４を昇降機構２２を介して乗用型走行車体１に装着すると共に、該田植作業機１４に施肥装置３９を装着した施肥装置付き乗用型田植機において、前記副伝動ケース１５ｂ…後部上方に機体左右方向に並設した肥料タンク４１と該肥料タンク４１から肥料を繰り出す肥料繰出装置４５…を設け、該肥料繰出装置４５から繰出された肥料を整地フロート２０・２１に装着された作溝器４４に案内する肥料案内管４３を、回転ケース１７の前方で副伝動ケース１５ｂと苗載台１６と移植具１８の作動軌跡とに囲まれた空間部をとおして配設し
、且つ、背面視で回転ケース１７の上方部に位置する肥料繰出装置４５…の排出口７２に連設される漏斗７４の下端に連通し
【発明の詳細な説明】
　【０００１】
　【発明の属する技術分野】
　この発明は、粒状の肥料を圃場に施す施肥装置を装着した乗用型田植機に関するものである。
　【０００２】
　【従来技術とその課題】
　この種の従来技術としては、特開昭６０−１２６００８号公報に開示されたような施肥装置を装着した乗用型田植機がある。然し乍ら、従来のものは、施肥装置の肥料繰出装置が植付装置から遠い位置に装着されているために、肥料繰出装置からの肥料搬送過程において、肥料が詰まり色々な問題を引き起こしていた。
　【０００３】
　　【課題を解決するための手段】
　この発明は、従来の課題を解決するために、後部が複数の副伝動ケース１５ｂ…に分岐構成された植付伝動ケース１５と、該植付伝動ケース１５の上方で左右往復動ずる苗載台１６と、副伝動ケース１５ｂ…の各々の後部側方に装着されて回転する回転ケース１７の両端部側方に各々装着されて回転ケース１７の回転軌跡よりも前方に突出した作動軌跡を描く２つの移植具１８・１８が苗載台１６に載置された苗から一株分の苗を取り出して圃場に植付ける植付装置１９…と、植付伝動ケース１５の下方に装着された整地フロート２０・２１等により構成される田植作業機１４を昇降機構２２を介して乗用型走行車体１に装着すると共に、該田植作業機１４に施肥装置３９を装着した施肥装置付き乗用型田植機において、前記副伝動ケース１５ｂ…後部上方に機体左右方向に並設した肥料タンク４１と該肥料タンク４１から肥料を繰り出す肥料繰出装置４５…を設け、該肥料繰出装置４５から繰出された肥料を整地フロート２０・２１に装着された作溝器４４に案内する肥料案内管４３を
、
し、且つ、背面視で回転ケース１７の上方部に位置する肥料繰出装置４５…の排出口７２に連設される漏斗７４の下端に連通し
　【０００４】
　【発明の作用効果】
　この発明は、副伝動ケース１５ｂ…後部上方に機体左右方向に並設した肥料タンク４１と該肥料タンク４１から肥料を繰り出す肥料繰出装置４５…を設け、該肥料繰出装置４５から繰出された肥料を整地フロート２０・２１に装着された作溝器４４に案内する肥料案内管４３を回転ケース１７の前方で副伝動ケース１５ｂと苗載台１６と移植具１８の作動軌跡とに囲まれた空間部をとおして配設したので、複数の副伝動ケース１５ｂ…後部上方に施肥装置３９の肥料タンク４１及び肥料タンク４１から肥料を繰り出す肥料繰出装置４５を機体左右方向に長くしてコンパクトに配置できる。また、肥料繰出装置４５から繰出された肥料は、整地フロート２０・２１に装着された作溝器４４に向けて回転ケース１７の前方で副伝動ケース１５ｂと苗載台１６と移植具１８の作動軌跡とに囲まれた空間部をとおして配設
し、且つ、背面視で回転ケース１７の上方部に位置する肥料繰出装置４５…の排出口７２に連設される漏斗７４の下端に連通されて、左右に曲げられないでストレートに配設
　【０００５】
　然も、肥料案内管４３は、左右往復動する苗載台１６及び回転作動する回転ケース１７と移植具１８・１８に接触しないように、回転ケース１７の前方で副伝動ケース１５ｂと苗載台１６と移植具１８の作動軌跡とに囲まれた空間部をとおして配設し
、且つ、背面視で回転ケース１７の上方部に位置する肥料繰出装置４５…の排出口７２に連設される漏斗７４の下端に連通し
　【０００６】
　【実施例】
　この発明の一実施例である施肥装置付き乗用型田植機を図面に基づき詳細に説明する。１は乗用型走行車体で、前端側のミッションケース２と後端側に後輪伝動ケース３とをフレームパイプ４で連結した車体１ａの前部左右両側に前輪５・５を操行可能に設け、後部左右両側に前記後輪伝動ケース３の両端に取付けたサイドケース６・６を介して後輪７・７を設け、車体１ａの前後中間にエンジン８を装着し、この車体１ａの上部に左右に幅の広いステップ９を張設に、この前側にステップ部を左右両側に残す状態で操縦枠１０を立設してこれの上部にハンドル１１を設け、後側部分に前記エンジン８を囲むエンジンカバー１２をステップ９から突出ならしめ、このカバー１２の上部に操縦席１３を設けている。
　【０００７】
　１４は田植作業機で、植付伝動ケース１５の前側上部に、前位が上位に傾斜する苗載台１６を左右に往復可能に設け、後側部に、回転ケース１７に２基の移植具１８が装着された植付装置１９を装着し、下部側に整地フロート２０・２１を装着した構成になっている。そして、この植付伝動ケース１５はその前側を苗載台１６の左右往復機構や変速伝動機構を内装する主伝動ケース１５ａに、後側を左右に所定の間隔で分岐させて前記回転ケース１７を装着伝動する副伝動ケース１５ｂに構成している。
　【０００８】
　２２は昇降機構で、前記後輪伝動ケース３に設けた支柱２３に基部を枢着した上下リンク２４・２５の先端部を縦リンク２６で枢着状態に連結して構成し、この上リンク２４を車体側から油圧装置２７で昇降可能に構成し、前記縦リンク２６にローリング可能に支軸２８を介して前記田植作業機１４を装着している。２９ａ・２９ｂはブラケットで、前記ミッションケース２の前側に設けた前枠３０の左右両側及び前記車体４の前後中間部の両側に、ステップ９の外方へ喰みださないようにして突出され、これに適宜な部材を着脱可能に構成している。
　【０００９】
　３１は予備苗載置装置で、前記ブラケット２９ａ・２９ｂに基部側を装着できる着脱枠３２に略々門型状の支柱３３をピン３３ａを介して回動自在に取付け、この支柱３３に苗載せ台３４を三段にして取付け、この支柱３３をばね３５で外方へ回動付勢するように設けると共にその外方への回動状態を数段に規制できる規制装置３６を前記着脱枠３２と支柱３３との間に設けている。図例の規制装置３６は着脱枠３２に回動可能に取付けられた鋸歯状のノッチを一体的に設けたペダル３７と支柱３３側に設けられて前記ノッチに係脱するピン３８とからなっている。
　【００１０】
　３９は施肥装置で、前記田植作業機１４の植付伝動ケース１５の各副伝動ケース１５ｂの上面に着脱自在に装着される施肥フレーム４０に、肥料タンク４１と、該肥料タンクから肥料を繰り出す肥料繰出装置４５と、この肥料繰出装置の下部に繰り出された肥料を受けて下部の圃場に導き所定の間隔で放出する肥料案内管４３とこの案内管４３の終端側に設けた作溝器４４とで構成される肥料排出装置７６と、送風機４２と、空気タンク４７と、風導管４８等を一体的になるようにして装着したものである。
　【００１１】
　この施肥装置３９の各部を詳細に説明すると次の通りである。施肥フレーム４０は、前記副伝動ケース１５ｂに固着される支柱４０ａの上部を前方へ屈曲させてその先端に横枠４０ｂを止着して各支柱４０ａを連結し、この横枠４０ｂに側面視でＬ字型、逆Ｌ字型の屈局枠４０ｃ・４０ｄを介して横方向に延びる上枠４０ｅを止着し、前記横枠４０ｂに筒状の空気タンク４７と前記施肥装置の肥料繰出装置４５の肥料繰出ケース本体４５ａを取付けるブラケット４８ａ・４９を取付けた構成になっている。
　【００１２】
　肥料繰出装置４５は、内部に繰出ロール４６が収納架設されるケース本体４５ａと繰出ロール４６を軸架する左枠４５ｂとクラッチケース部を構成する右枠４５ｃとに分割可能に繰出ケースを構成し、ケース本体４５ａの前側に位置する取付け部（イ）を前記ブラケット４９に螺着可能に構成し、前記左枠４５ｂには基部が螺軸（ロ）で先端側が非螺軸（ハ）に設けられた筒軸５０を一体的に設け、該螺軸（ロ）部に平歯車５１を螺合し、非螺軸（ハ）部にブッシュ５２・５２を圧入して、この部分に溝付繰出ロール４６ａを回転自在に設け、この溝付繰出ロール４６ａの溝に嵌合して軸方向に移動自在な繰出調節ロール４６ｂを前記平歯車５１のボス部５１ａ部に回転自在に係合して軸方向には該平歯車５１と一体的に動くように構成し、駆動軸５３を前記右枠４５ｃ側から挿通して前記筒軸５０に回転自在な状態に嵌合ならしめ、この軸５３からクラッチ機構５４を介して溝付繰出ロール４６ａを回転するように構成されている。
　【００１３】
　前記平歯車５１のボス部５１ａと繰出調節ロール４６ｂとの連結は、該ボス部５１ａにブッシュ５５を圧入し、繰出調節ロール４６ｂの内周に形成した突状リング（ニ）を前記ブッシュ５５の端面に接当するようにしてボス部５１ａに嵌合し、ボス部５１ａの端面に抜止リング５６を螺着した構造にしている。前記クラッチ機構５４は、次の構成である。
　【００１４】
　前記溝付繰出ロール４６ａの外側面にクラッチ爪を一体的に形成し、このクラッチ爪に前記駆動軸５３に軸方向に移動自在に楔着されるクラッチ体５７に一体に形成したクラッチ爪をばね５８で弾発係合ならしめ、該クラッチ体５７の操作溝５７ａに係合されるクラッチピン５９ｂを前記繰出ケース本体４５ａ外から偏心回動することでクラッチ爪とクラッチ爪との係脱を可能ならしめ、クラッチの断続ができるように構成している。尚、前記クラッチビン５９ｂは、前記ケース本体４５ａと右枠４５ｃとの合体時に、その両合体面に形成する半円状の切欠部（ホ）・（ホ）で形成される円周面で抜け止めされた状態で前記ケース本体４５ａ側に軸受け保持されたクラッチ軸５９の内端面に偏心して一体的に設けられ、このクラッチ軸５９の外端部に操作レバー５９ａが一体に形成されている。
　【００１５】
　前記クラッチ機構５４のばね５８の一端側はクラッチ体５７に接圧され、他端は右枠５４ｃ内面に接圧されるが、この右枠５４ｃ内面に接圧する部分にブレーキがかかるようにばね５８と右枠５４ｃとの間にブレーキ板６０を介装している。このようにすると、常に駆動軸５３にブレーキがかかって回転し難くなり、ラチェット伝動機構で該駆動軸５３を回転するような場合に軸が揺動せず不測に繰出ロールが揺動して肥料が垂れ流しになるようなことがなくなり的確な繰出が可能になる。
　【００１６】
　６１は肥料取出樋で、前記ケース本体４５ａの背面側開口部（へ）にピン６２で回動自在に枢着され、常にケース内に挿入されている部分はケース内幅一杯の板体にできていて、ケース外に開く部分は側板と底板とでできた流し樋の形状に構成され、この肥料取出樋６１で前記開口部（へ）を開閉可能に構成し、閉じた状態ではケース内の板体部はケースの内面に沿う状態になって肥料の繰出し流下の邪魔にならず、開いた状態では繰り出される肥料を受けて肥料がケースの外側に排出されるように構成している。尚、該肥料取出樋６１のケース内の板体の少なくとも先端側にゴム板やブラシ等のシール体６３を取付け、取出樋６１の開放時にシール体６３が繰出ロールの回転周面、特に繰出溝面に接合して肥料の流下確実に防止している。
　【００１７】
　６４は連れ出し防止用の堰止ブラシで、前記ケース本体４５ａの背面側開口部（へ）の左右内壁面に外側上部から内側下部に向かう樋６５に嵌合して抜き差し自在に設けた移動部材６６に、前後方向に移動調節設定可能に止着されている。６７は移動部材６６に固着の板体であり、繰出ロールの外周面にその端面が接近して肥料を受ける機能を行なうものである。
　【００１８】
　そして、前記堰止ブラシ６４及び板体６７が一体的に取付けられた移動部材６６を樋６５に嵌合して差し込み、前記肥料取出樋６１を閉じると、この樋６１で該移動部材６６が動かないように接圧されて固定されるように構成されている。ケース本体５４ａ側の外側面の各所に設けられている回動自在な係止爪６８…は、前記左枠４５ｂ、右枠４５ｃ、肥料取出樋６１を取付けたとき、閉鎖したときに係止するもので、６９…はその係合ピン、７０…は接合時のノックピンを示す。
　【００１９】
　尚、７１は肥料流入口、７２は肥料排出口を示す。前記の肥料タンク４１は、下部側が漏斗状に形成されていて、前記ケース本体４５ａの肥料流入口７１に漏斗が臨むようにして該ケース本体４５に固着されている。７４は漏斗で、前記ケース本体４５ａの肥料排出口７２の外周に嵌合させて取付けられ、この漏斗の下部側は筒状態に構成され、この筒状部に空気吹き込み筒７５が一体的に形成されてしる。
　【００２０】
　７６は肥料排出装置で、前記田植作業機１４の整地フロート２０・２１に取付けられた作溝器４４の開口部に臨む案内管４３が前記漏斗７４の下端に連通ならしめた構成になっている。４２は送風機で、本体部が筒状の電動モータ８０の一側面に回転送風羽根が内装された送風ケース８１を一体的に設け、前記屈曲枠４０ｄに締め付けバンド８２を介して電動モータの筒部外周を取り巻くようにして着脱自在に取付けている。８３は前記バンドの係止バックルを示す。
　【００２１】
　４７は空気タンクで、左右方向に長い気密のタンクに形成され、前記ブラケット４８に固着されている。そして、この空気タンク４７に前記送風機４２から空気が吹き込まれるように、両者を送風管８５で連設している。４８は風導管で、前記空気タンク４７と前記漏斗７４の吹き込み筒７５とを連結している。
　【００２２】
　８７は繰出し調節装置で、各肥料繰出装置４５の繰出量を格別に調節する夫々の前記平歯車５１と、前記施肥フレーム４０の左右両側に支持されて、その一端側に設けられたレバー８８で回転可能な回転軸８９に取付けた歯車９０とを噛み合わせて、該軸８９を正逆回転ならしめることにより前記平歯車５１を前記筒軸５０の軸芯方向に移動ならしめ、繰出調節ロール４６ｂを左右に移動調節して肥料の繰出量が一挙に調節できるように構成している。尚、前記歯車９０は、軸８９の軸方向に移動できて、前記平歯車５１との噛み合いが外せるように構成してあり、これを外した状態で平歯車５１を手動回転させるとその肥料繰出装置４５のみの繰出量が調節できるように構成されている。
　【００２３】
　具体的には、第１４図・第１５図の通り、軸８９に外周形状が六角の固定部材９１をロールピン８４で固定し、この固定部材９１に歯車９０を嵌合ならしめ、ばね９２で軸に固定のストッパ９３側に弾圧して該歯車９０をばね９２に抗して移動できるように構成している。尚、前記平歯車５１の外側面に繰出量を決める目安にたる目盛と数字を歯形に対応して設け、この所定の目盛数字歯形を前記左枠４５ｂの横方行目盛枠部（ト）に位置させることによって微量調節設定ができ、平歯車５１の外側面を前記目盛枠部（ト）の適当な目盛数字に合せることによって多量調節設定ができるように構成している。
　【００２４】
　前記作溝器４４は、鉄板や合成樹脂で平面視がＶ型或はＵ型状の後部が開口された形状に設けられていて、上下方向に長く、前記整地フロート２０・２１の苗植付け部を整地する部分の横側に土壌面に下端が突っ込まれる状態で該フロートに取付けられている。そして、前記植付装置１９の回転ケース１７との関係位置は、該回転ケース１７の前側に近い位置にあり、この作溝器４４のＶ字或はＵ字の空間内に上方から介入する前記案内管４３は、前記植付伝動ケース１５の副伝動ケース１５ｂと植付装置１９の先端側外側部に取付けられて首振り移植運動をする移植具１８との間に介装され、しかも、回転ケース１７の前側に位置ならしめている。換言すれば、副伝動ケース１５ｂと回転ケース１７と移植具１８と苗載台１６とで形成される空間（チ）内に案内管４３が介入される構成になっている。このようにすると、構成が非常にコンパクトになるばかりでなく、案内管４３を左右に折曲げないで配設できて肥料詰りを少なくすることができる。尚、前記肥料繰出装置４５の排出口７２とこれに連設される漏斗７４は回転ケース１７の上方部に位置して前記案内管４３が左右に曲げられないでストレートに配設され回転ケース１７や移植具１８の作動を阻害しない構成になっている。
　【００２５】
　前記駆動軸５３の伝動は、該軸５３に一方向回転機構としてのラチェット機構９４を前記軸５３に装着し、その作動レバー９５を駆動ロッド９６を介して前記副伝動ケース１５ｂの下端側の一側部に突出して回転されるように設けたクランク９７に連設し、このクランク９７の回転によってレバー９５が上下に揺動されて駆動軸５３が一定の方向に伝動回転されるように構成されている。
　【００２６】
　前記クランク９７は、前記回転ケース１７の回転軸９８に平歯車９９を取付け、前記副伝動ケース１５ｂの後端に施肥装置３９を装着しない場合に取付けられる蓋の代わりにクランク伝動枠１００を装着すると、この伝動枠１００の内部にあらかじめ軸架した従動中間平歯車１０１が前記平歯車９９と噛み合い、これに噛合う歯車１０２ａが取付けられる軸１０２が回転され、この軸１０２に取付けられているクランク９７が作動される構成になっている。そして、このクランク９７は、前記副伝動ケース１５ｂから側方へ大きく突出する前記回転軸９８を包む軸受メタル（リ）の後方位でやや高い位置に配設されている。このような位置にクランク９７が配設されると該クランク９７に泥土や泥水が掛かり難くなって極めて有効である。
　【００２７】
　前記肥料タンク４１内に設けられた肥料切れセンサー１０３は、該タンク４１内の下部側斜面に装着されていて、肥料圧を受けてセンシングするように構成されている。そして、該肥料タンク４１はバランスの関係でできるだけ前方に位置するようにするため、タンク内面の壁面を前方側が緩くなる傾斜に構成し、この緩い傾斜面に貼付られる格好にして該センサー１０３が設けられている。このようにすると肥料が少なくなってもセンサーが肥料圧を充分に受けることができて的確に肥料切れを検出できる。尚、このセンサー１０３はブザーあるいは警告灯に連結されることは謂うまでまない。また、このセンサー１０３の前側には、前記空気タンク４７が位置する状態に延びている構成にしているから、センサー部分が充分に保護され、不測にこのセンサー部分に異物が衝突して破損されたり検出性能が変わってしまう等の事態を防止できる。１０４は肥料詰り表示器で、前記施肥フレーム４０に回動可能に設けた後板８４の背面に装着され、前記作溝器４４の内壁前面から適当間隔離して垂下した電導杆１０５と該作溝器４４壁面との間に肥料が詰ったり、作溝器内に進入する泥水に肥料が充分溶けた肥料詰りの状態になったときに両者間に難なく電気が流れるのを検出してこれを表示するものである。尚、この肥料詰り検出機構１０６によると、水田の泥土や、泥水にほとんど影響されないで正確な検出ができる。１０７は該検出機構１０６の調整装置で、検出感度を圃場に応じて調整するものである。即ち、電導抵抗を調整することによって、未だ肥料が撒かれていない時点の圃場における泥水が充分に電導性を有するとき、検出機構が働らいて誤報するのを防止するものである。
　【００２８】
　次に、上例の作用について説明する。先ず、乗用型走行車体１側に予備苗を多量搭載するときは、第１図及び第２図に示した通り、予備苗載置装置３１を前側及び後側の各ブラケット２９ａ・２９ｂに装着して多量の苗を搭載する。多量の苗を搭載する必要がないときは、前側の両サイドあるいは後側の両サイドの予備苗載置装置３１を外しておくとよい。
　【００２９】
　この状態において、田植作業機１４の苗載台１６に苗を搭載すると共に、各肥料タンク４１に粒状の肥料を収納して、乗用型走行車体１を前進しながら各伝動回転部を駆動すると、苗載台１６が左右に往復移動して、その下端側に苗が繰り出される。そして、回転ケース１７の回転と共に移植具１８が揺動してその移植爪が上下に長い閉ループ状の移植軌跡を描いて運動し、前記苗載台１６から一株分づつの苗を分割保持して整地フロート２０・２１で整地した水田の土壌面に苗が植付けられる。
　【００３０】
　一方、回転ケース１７の回転軸９８から歯車９９・１０１を介して伝動されるクランク９７で施肥装置３９の各駆動軸５３が駆動ロッド９６、レバー９５ラチェット機構９４を介して一定方向に回転伝動される。このため、クラッチ５４を「入」にしておくと繰出ロール４６が回転されて肥料タンク４１から肥料が繰り出されて下部の漏斗７４に排出され、案内管４３内を流下して作溝器４４の開口部に排出される。このとき、送風機４２による圧風が空気タンク４７で溜められ、この高圧空気が風導管４８を介して漏斗７４下部の案内管４３内へ吹き込まれ強制的に案内管４３内を流下する肥料を作溝器４４内へ的確に案内するこのようにして、作溝器４４で開口される溝内に撒かれた肥料は、その後に覆上板１０７で溝が埋め戻されて土壌面下に埋没される。
　【００３１】
　このようにして、苗植付け作業と施肥作業とが同時に行われるが、各肥料繰出装置４５の繰出量を夫々調節するには、歯車９０を移動させて歯車５１との噛み合いを外し、該歯車５１を正あるいは逆に回転して筒軸５０の螺子で該歯車５１を左右に移動させ、これにより繰出調節ロール４６ｂを移動して調節するとよい。また、各肥料繰出装置４５の繰出量を一挙に調節するには、レバー８８で回転軸８９を正逆回転すると歯車９０で歯車５１が回転されて前記と同じように調節ができる。
　【００３２】
　次に、作業が終わり、肥料タンク４１内の肥料を排出する場合には、肥料取出樋６１を第８図の仮想線のように開口ならしめ、堰止ブラシ６４が装備された移動部材６６を引き抜くとタンク４１内の肥料が肥料取出樋６１で受けられてそのまま後側の外部へ排出される。排出される肥料は適宜収容器で受けるとよい。また、この肥料繰出装置４５の繰出ロール４６部分やその他の適宜な部分を掃除したり、洗浄後の水切りをするときには、送風機４２を外して風を吹き付けると簡単に清掃、水切りができる。
　【００３３】
　そして、特に、副伝動ケース１５ｂ…後部上方に機体左右方向に並設した肥料タンク４１と該肥料タンク４１から肥料を繰り出す肥料繰出装置４５…を設け、該肥料繰出装置４５から繰出された肥料を整地フロート２０・２１に装着された作溝器４４に案内する肥料案内管４３を回転ケース１７の前方で副伝動ケース１５ｂと苗載台１６と移植具１８の作動軌跡とに囲まれた空間部をとおして配設したので、複数の副伝動ケース１５ｂ…後部上方に施肥装置３９の肥料タンク４１及び肥料タンク４１から肥料を繰り出す肥料繰出装置４５を機体左右方向に長くしてコンパクトに配置できる。また、肥料繰出装置４５から繰出された肥料は、整地フロート２０・２１に装着された作溝器４４に向けて回転ケース１７の前方で副伝動ケース１５ｂと苗載台１６と移植具１８の作動軌跡とに囲まれた空間部をとおして配設された肥料案内管４３により、すぐ下方の植付け位置の近くに適切に施され、肥料詰まり等の発生も少なくて適切な施肥作業が行える。
　【００３４】
　然も、肥料案内管４３は、左右往復動する苗載台１６及び回転作動する回転ケース１７と移植具１８・１８に接触しないように、回転ケース１７の前方で副伝動ケース１５ｂと苗載台１６と移植具１８の作動軌跡とに囲まれた空間部をとおして配設したから、非常に簡潔な構成で然もコンパクトに各部材を配置構成できて、小型の施肥装置付き乗用型田植機となり、作業性が非常に良好である。
【図面の簡単な説明】
　【図１】施肥装置付き乗用型田植機の全体側面図
　【図２】施肥装置付き乗用型田植機の全体平面図
　【図３】要部の正断面図
　【図４】要部の一部断面右側面図
　【図５】要部の一部断面背面図
　【図６】要部の一部断面左側面図
　【図７】要部の背面図
　【図８】要部の側断面図
　【図９】要部の背断面図
　【図１０】要部を分解した状態の斜視図
　【図１１】要部の背面図
　【図１２】要部の一部断面右側面図
　【図１３】要部の断面図
　【図１４】要部の断面図
　【図１５】要部の側面図
　【符号の説明】
１　乗用型走行車体　　　　　　　　１４　田植作業機
１５　植付伝動ケース　　　　　　　１５ｂ　副伝動ケース
１６　苗載台　　　　　　　　　　　１７　回転ケース
１８　移植具　　　　　　　　　　　１９　植付装置
２０　整地フロート　　　　　　　　２１　整地フロート
２２　昇降機構　　　　　　　　　　３９　施肥装置
４１　肥料タンク　　　　　　　　　４３　肥料案内管
４４　作溝器　　　　　　　　　　　４５　肥料繰出装置